(57)【特許請求の範囲】
【請求項１】
電話信号の送受信を行う主送受信部と、
音声入力に応じた音声信号を上記主送受信部に供給する状態をとる音声入力部と、
上記主送受信部から得られる再生音声信号に応じた音声出力を発生する状態をとる音声出力部と、
接続部を介して車両に設置されたハンズフリー装置と接続され、上記再生音声信号もしくは該再生音声信号に基づく転送信号を上記ハンズフリー装置に送信するとともに、該ハンズフリー装置から送信される音声信号もしくは音声信号に基づく転送信号を受信し、受信された音声信号もしくは音声信号に基づく転送信号を上記主送受信部に供給する動作状態をとる対ハンズフリー装置送受信部と、
地図情報信号を格納できるメモリ部と、
上記接続部を介して、上記対ハンズフリー装置送受信部と上記ハンズフリー装置とを相互接続する状態と、上記メモリ部と上記車両に設けられたナビゲーション装置が備える地図情報送出部とを相互接続する状態とを選択的にとる接続状態選択部と、
該接続状態選択部によって上記メモリ部と上記地図情報送出部とが相互接続されるとき、上記地図情報送出部から送出される上記車両の現在位置を含む所定の地域範囲についての地図情報をあらわす地図情報信号が上記メモリ部に格納される動作状態を設定する制御部と、
上記音声入力部から得られる音声信号が上記主送受信部に供給されるとともに、上記主送受信部から得られる再生音声信号が上記音声出力部に供給される状態と、上記主送受信部から得られる再生音声信号もしくは該再生音声信号に基づく転送信号が上記対ハンズフリー装置送受信部に供給されるとともに、該対ハンズフリー装置送受信部から得られる音声信号もしくは該音声信号に基づく転送信号が上記主送受信部に供給される状態とを選択的にとる信号供給状態選択部と、
上記メモリ部から読み出された地図情報信号に基づく地図画像を表示する画像表示部と、
該画像表示部を含む部分の現在位置を検出する現在位置検出部と、
を備え、
上記画像表示部が、上記現在位置検出部によって検出された現在位置を、上記メモリ部から読み出された地図情報信号に基づく地図画像に重畳して表示することができることを特徴とする電話機能を具えた地図情報利用装置。
【請求項２】
上記接続状態選択部が共通連結部を含み、上記対ハンズフリー装置送受信部からの信号が上記共通連結部を通じて上記車両に設置されたハンズフリー装置に送信されるとともに、上記ハンズフリー装置からの信号が上記共通連結部を通じて上記対ハンズフリー装置送受信部により受信される状態と、上記車両に設けられたナビゲーション装置が備える地図情報送出部からの所定の地図情報信号が上記共通連結部を通じて上記メモリ部に格納される状態とが、選択的にとられることを特徴とする請求項１記載の電話機能を具えた地図情報利用装置。
【請求項３】
上記接続状態選択部が、上記対ハンズフリー装置送受信部からの信号を上記共通連結部に供給するとともに、該共通連結部を通じて得られる上記車両に設置されたハンズフリー装置からの信号を上記対ハンズフリー装置送受信部に供給する状態と、上記共通連結部を通じて得られる、上記車両に設置されたナビゲーション装置が備える地図情報送出部からの所定の地図情報信号を、上記メモリ部に供給する状態とを選択的にとる信号選択部を含んで成ることを特徴とする請求項２記載の電話機能を具えた地図情報利用装置。
【請求項４】
上記制御部が、上記接続状態選択部によって上記メモリ部と上記車両に設けられたナビゲーション装置が備える地図情報送出部とが相互接続されるとき、上記ナビゲーション装置に、上記地図情報送出部から所定の地図情報信号が送出される状態を設定することを要求する要求信号を、上記接続状態選択部を通じて供給することを特徴とする請求項１から４までのいずれかに記載の電話機能を具えた地図情報利用装置。
【請求項５】
上記制御部が、上記メモリ部から読み出された地図情報信号が上記主送受信部を通じて送信される状態を設定することを特徴とする請求項１記載の電話機能を具えた地図情報利用装置。
【請求項６】
上記車両に設けられたナビゲーション装置が備える地図情報送出部から送出されて上記メモリ部に格納される所定の地図情報信号が、上記地図情報送出部から送出される地図情報信号があらわすことができる地図情報のうちの最大縮尺を有するものと同じ縮尺を有した地図情報をあらわすものであることを特徴とする請求項１記載の電話機能を具えた地図情報利用装置。
【発明の詳細な説明】
【０００１】
【発明の属する技術分野】
本発明は、電話信号の送受信を行う携帯電話装置としての機能と、内蔵する地図情報格納部から読み出される地図情報信号を、例えば、それに基づく地図画像表示を行う態様をもって利用する機能とを併せ持った電話機能を具えた地図情報利用装置に関する。
【０００２】
【従来の技術】
車両についての路上走行補助システムの一つを成すナビゲーション装置を車両に装備することが普及しつつあるが、このようなナビゲーション装置は、通常、それが搭載された車両の現在位置を検出する位置検出部，地図データ格納部、及び、車両の乗員に対する情報提供を視覚的に行うための画像表示部を備えている。そして、ナビゲーション装置が備える画像表示部においては、当該ナビゲーション装置が搭載された車両の走行エリアを含む道路地図情報が地図データ格納部から読み出されて、それに基づく道路地図の表示が行われるとともに、表示された道路地図上に重ねて、位置検出部により検出された現在位置、さらには、目的地，現在位置から目的地までの通過予定経路等の種々の情報が表示される状態がとられ、車両の乗員が、画像表示部における表示に従って車両を目的地まで容易に走行させることができるようにされる。
【０００３】
また、無線通信サービスの一種を成す公衆自動車電話サービスの提供を受けることができる環境下においては、車両に移動無線電話システムを装備して、当該車両と公衆電話加入者あるいは移動無線電話システムを備えた他の車両との間の通話を、当該車両の走行地点をサービスエリア内に含むものとされたローカル無線局を介して行うことが広く普及している。斯かるもとで車両に装備される移動無線電話システムにあっては、小型マイクロフォンと小型スピーカとを内蔵し、通話者が手にして通話に使用するものとされるハンドセット装置に加えて、車両の車室内における運転者の近傍となる部分に取り付けられたマイクロフォンとスピーカとを含んで成り、運転者による通話に供されるハンズフリー装置が備えられることが望まれている。ハンズフリー装置を通じての運転者による通話が行われる場合には、運転者がハンドセット装置あるいは他の装置を手にする必要がないので、運転者の通話動作が当該運転者の運転操作を妨げる度合いが低減されると考えられるからである。
【０００４】
一方、小型かつ軽量であって持ち運びが極めて容易なものとされたもとで電話信号の無線送信及び無線受信を行う携帯電話装置が、近年急速に普及してきている。特に、ディジタルコードレス方式をとる携帯電話装置は、単独で使用されて通話に供されるのみならず、種々のデータを扱う電子情報処理機器、例えば、パーソナル・コンピュータとの接続がなされて使用され、パーソナル・コンピュータによるデータ通信に供される使い方も頻繁になされている。
【０００５】
こうした携帯電話装置を車両内に持ち込み、その携帯電話装置に移動無線電話システムを構成するものとしての役割を果たさせようとすることも、例えば、特開平８−４６６７８号公報にも示される如くに提案されている。斯かる際、車両内に持ち込まれた携帯電話装置は、通常、車両の車室内に設けられた保持部に装着されて保持される状態におかれる。
【０００６】
携帯電話装置が、車両の車室内に設けられた保持部に装着され、移動無線電話システムを構成するものとして使用される場合においても、携帯電話装置を通じての通話を、車両の車室内に設置されたハンズフリー装置を介して行えるようにされることが望まれる。それゆえ、車両の車室内に設けられた保持部に装着された携帯電話装置と車両の車室内に設置されたハンズフリー装置とを電気的に接続し、携帯電話装置からハンズフリー装置への音声信号等の供給及びハンズフリー装置から携帯電話装置への音声信号等の供給が行われるようにすべく、携帯電話装置及びハンズフリー装置の夫々がそのための接続端子部を備えたものとされるとともに、携帯電話装置に備えられた接続端子部とハンズフリー装置に備えられた接続端子部とを電気的に相互連結するための連結部が、例えば、携帯電話装置が装着される保持部に設けられる。
【０００７】
【発明が解決しようとする課題】
上述の如くに用いられる携帯電話装置にあっては、通常、電話番号，日時等の種々の情報が表示される比較的小型とされた画像表示部、及び、画像表示部に供給される画像表示用データの書込み及び読出し、即ち、画像表示用データの一時的な保持が行われるメモリ部が備えられる。そこで、このような携帯電話装置に備えられる画像表示部及びメモリ部を利用し、携帯電話装置において特定の地域に関する地図情報を画像表示することができれば、当該携帯電話装置を、例えば、車両の車室内に設けられた保持部から取り外した状態として持ち運んで使用する者にとって、極めて便利な使い方が考えられることになる。
【０００８】
携帯電話装置において地図情報が画像表示されるにあたっては、携帯電話装置に備えられるメモリ部に地図情報が格納され、その地図情報が適宜メモリ手段から読み出されて画像表示部に供給されることになる。
【０００９】
しかしながら、一般に、地図情報は、それが比較的狭い地域に関するものであっても、比較的大なるデータ容量を要するものとされる。従って、実用上の有用性が考慮されて、携帯電話装置において多様な地図情報を選択的に画像表示できるようにすべく、携帯電話装置に備えられるメモリ部に多様な地図情報が格納されることになると、携帯電話装置に備えられるメモリ部が大メモリ容量を有したものとされることが要される。さらに、メモリ部の大メモリ容量化に伴って、メモリ部への地図情報の書込み及びメモリ部からの選択された地図情報の読出しを行うために必要とされる回路部も、大規模なものとされることになる。その結果、携帯電話装置が、大型化，重量の増大，コストの上昇等々の不都合がまねかれるものとなってしまう。
【００１０】
斯かる点に鑑み、本発明は、携帯電話装置として機能すべく電話信号の送受信を行うことができるとともに、車両に設置されたハンズフリー装置との間での音声信号もしくはそれに基づく転送信号の送受信を行う状態をとることができ、かつ、メモリ部についての大メモリ容量化及びメモリ部に付随する回路部の大規模化が要されることなく、特定の地域に関する地図情報を、例えば、それに基づく地図画像表示を行う態様をもって有効に利用することができる電話機能を具えた地図情報利用装置を提案する。
【００１１】
【課題を解決するための手段】
本発明に係る電話機能を具えた地図情報利用装置は、電話信号の送受信を行う主送受信部と、音声入力に応じた音声信号を主送受信部に供給する状態をとる音声入力部と、主送受信部から得られる再生音声信号に応じた音声出力を発生する状態をとる音声出力部と、接続部を介して車両に設置されたハンズフリー装置と接続され、主送受信部から得られる再生音声信号もしくはそれに基づく転送信号を車両に設置されたハンズフリー装置に送信するとともに、ハンズフリー装置から送信される音声信号もしくは音声信号に基づく転送信号を受信し、受信された音声信号もしくは音声信号に基づく転送信号を主送受信部に供給する動作状態をとる対ハンズフリー装置送受信部と、地図情報信号を格納できるメモリ部と、上述の接続部を介して、対ハンズフリー装置送受信部と車両に設置されたハンズフリー装置とを相互接続する状態と、メモリ部と車両に設けられたナビゲーション装置が備える地図情報送出部とを相互接続する状態とを選択的にとる接続状態選択部と、接続状態選択部によってメモリ部と地図情報送出部とが相互接続されるとき、地図情報送出部から送出される車両の現在位置を含む所定の地域範囲についての地図情報をあらわす地図情報信号がメモリ部に格納される動作状態を設定する制御部と、音声入力部から得られる音声信号が主送受信部に供給されるとともに、主送受信部から得られる再生音声信号が音声出力部に供給される状態と、主送受信部から得られる再生音声信号もしくはそれに基づく転送信号が対ハンズフリー装置送受信部に供給されるとともに、その対ハンズフリー装置送受信部から得られる音声信号もしくはそれに基づく転送信号が主送受信部に供給される状態とを選択的にとる信号供給状態選択部と、メモリ部から読み出された地図情報信号に基づく地図画像を表示する画像表示部と、画像表示部を含む部分の現在位置を検出する現在位置検出部と、が備えられ、画像表示部が、現在位置検出部によって検出された現在位置を、メモリ部から読み出された地図情報信号に基づく地図画像に重畳して表示することができるものとされて、構成される。
【００１５】
上述の如くに構成される本発明に係る電話機能を具えた地図情報利用装置にあっては、対ハンズフリー装置送受信部と車両に設置されたハンズフリー装置とを相互接続する状態と、地図情報信号を格納できるメモリ部と車両に設けられたナビゲーション装置が備える地図情報送出部とを相互接続する状態とを選択的にとる接続状態選択部が備えられていて、その接続状態選択部により、対ハンズフリー装置送受信部と車両に設置されたハンズフリー装置とを相互接続する接続部が巧みに利用されて、別途の接続部が設けられることなく、地図情報信号を格納できるメモリ部と車両に設けられたナビゲーション装置が備える地図情報送出部とが相互接続される状態が得られる。
【００１６】
そして、地図情報信号を格納できるメモリ部と車両に設けられたナビゲーション装置が備える地図情報送出部とが相互接続されるときには、制御部によって、車両に設けられたナビゲーション装置が備える地図情報送出部から送出される車両の現在位置を含む所定の地域範囲についての地図情報をあらわす地図情報信号がメモリ部に格納される動作状態が設定される。即ち、地図情報信号を格納できるメモリ部にあっては、車両に設けられたナビゲーション装置が備える地図情報送出部が地図情報源とされるもとで、その地図情報源が送出できる地図情報信号のうちの車両の現在位置を含む所定の地域範囲についての地図情報をあらわす部分が、適宜選択されて格納され得ることになる。
【００１７】
従って、地図情報信号を格納ができるメモリ部は、車両の現在位置を含む所定の地域範囲についての地図情報をあらわすものとされる地図情報信号を、大メモリ容量化及び付随する回路部の大規模化を必要とすることなく格納し、格納した地図情報信号を、例えば、それに基づく地図画像表示とされる利用に供するものとされる。それゆえ、本発明に係る電話機能を具えた地図情報利用装置は、携帯電話装置として機能すべく電話信号の送受信を行うことができるとともに、車両に設置されたハンズフリー装置との間での音声信号もしくはそれに基づく転送信号の送受信を行う状態をとることができ、しかも、内蔵するメモリ部についての大メモリ容量化及びメモリ部に付随する回路部の大規模化を要することなく、車両の現在位置を含む所定の地域に関する地図情報を有効に利用することができるものとなる。
【００１８】
さらに、本発明に係る電話機能を具えた地図情報利用装置にあっては、車両に設けられたナビゲーション装置が備える地図情報送出部から送出される車両の現在位置を含む所定の地域範囲についての地図情報をあらわす地図情報信号がメモリ部に格納されたもとでは、メモリ部から、車両の現在位置を含む所定の地域範囲についての地図情報をあらわす地図情報信号を読み出して利用する際、必要に応じて、画像表示部に、現在位置検出部によって検出された画像表示部を含む部分の現在位置、即ち、本発明に係る電話機能を具えた地図情報利用装置の現在位置を、地図情報信号に基づく地図画像に重畳して表示させることもできる。従って、本発明に係る電話機能を具えた地図情報利用装置は、内蔵するメモリ部についての大メモリ容量化及びメモリ部に付随する回路部の大規模化を要することなく、多様な機能を発揮するものとされる。
【００２０】
【発明の実施の形態】
図１は、本発明に係る電話機能を具えた地図情報利用装置の一例を、車両に設けられたナビゲーション装置及び車両に設置されたハンズフリー装置と共に示す。
【００２１】
図１においては、本発明に係る電話機能を具えた地図情報利用装置の一例を成す携帯装置１１が、車両に設置されたハンズフリー装置１２に連結部を介して連結されており、その連結部を通じて、ハンズフリー装置１２及び車両に設けられたナビゲーション装置１３との電気的接続が選択的になされる状態におかれている。以下においては、ハンズフリー装置１２が設置されるとともにナビゲーション装置１２が設けられた車両を搭載車両と呼ぶ。
【００２２】
ハンズフリー装置１２にあっては、送受信部，音声出力部，音声入力部及び接続状態選択部を含む各部が、制御部を形成するハンズフリー制御ユニットによる動作制御のもとに作動せしめられる。送受信部は、携帯装置１１との間における音声信号もしくは音声信号に基づく転送信号の送受信を行う状態を必要に応じてとる。音声出力部は、送受信部から得られる再生音声信号に応じた音声出力を発生し、音声入力部は、音声入力に応じた音声信号を送受信部に供給する。さらに、接続状態選択部は、携帯装置１１との連結を行うとともに、携帯装置１１とハンズフリー装置１２との電気的接続状態、さらには、携帯装置１１とナビゲーション装置１３との電気的接続状態についての選択制御を行う。
【００２３】
ナビゲーション装置１３にあっては、位置検出部，画像表示部，地図データ格納部及び地図情報送出部を含む各部が、制御部を形成するナビゲーション制御ユニットによる動作制御のもとに作動せしめられる。位置検出部は、アンテナ１４を通じて受信した位置検出用信号に基づいて搭載車両の現在位置を検出し、検出された搭載車両の現在位置をあらわす位置データを送出する。また、地図データ格納部は、対象地域，縮尺等を異にする種々の態様の道路地図データを格納しており、地図データ格納部からは、格納された道路地図データが適宜選択されて読み出される。画像表示部は、地図データ格納部から読み出された道路地図データ，位置検出部から送出される位置データ等に基づく、地図画像表示及びそれに重畳しての現在位置画像表示等を行う。また、地図情報送出部は、地図データ格納部から選択されて読み出された道路地図データに応じた地図情報信号を形成して、それを携帯装置１１へと送出する状態を必要に応じてとる。
【００２４】
そして、本発明に係る電話機能を具えた地図情報利用装置の一例を成す携帯装置１１にあっては、主送受信部，音声入力部，音声出力部，対ハンズフリー装置送受信部，位置検出部，画像表示部，地図情報メモリ部及び接続状態選択部を含む各部が、制御部を形成する統括制御ユニットによる動作制御のもとに作動せしめられる。主送受信部は、例えば、公衆電話通信システムにおけるローカル無線局との間で、電話信号の無線送信及び無線受信をアンテナ１５を通じて行う。また、音声入力部は、音声入力に応じた音声信号を主送受信部に供給し、音声出力部は、主送受信部から得られる再生音声信号に応じた音声出力を発生する。対ハンズフリー装置送受信部は、主送受信部から得られる再生音声信号もしくはそれに基づく転送信号をハンズフリー装置１２へと送信するとともに、ハンズフリー装置１２からの音声信号もしくは音声信号に基づく転送信号を受信し、受信された音声信号もしくは音声信号に基づく転送信号を主送受信部に供給する動作状態を必要に応じてとる。
【００２５】
携帯装置１１における位置検出部は、アンテナ１６を通じて受信した位置検出用信号に基づいて携帯装置１１の現在位置を検出し、携帯装置１１の現在位置をあらわす位置データを送出する。また、地図情報メモリ部は、ナビゲーション装置１３に備えられた地図情報送出部から送出される地図情報信号を取り込んで格納する状態を必要に応じてとる。そして、画像表示部は、地図情報メモリ部から読み出された地図情報信号があらわす地図データ，位置検出部から送出される位置データ等に基づく、地図画像表示及びそれに重畳しての現在位置画像表示等を行う。
【００２６】
さらに、携帯装置１１における接続状態選択部は、ハンズフリー装置１２に備えられた接続状態選択部を通じて、ハンズフリー装置１２との連結を行うとともに、ハンズフリー装置１２に備えられた送受信部と対ハンズフリー装置送受信部との電気的接続状態、さらには、ナビゲーション装置１３に備えられた地図情報送出部と地図情報メモリ部との電気的接続状態についての選択制御を行う。
【００２７】
このようなもとで、携帯装置１１に備えられた接続状態選択部及びハンズフリー装置１２に備えられた接続状態選択部の夫々は、共通連結部と信号選択部とを含むものとされる。そして、図１に示される如く、携帯装置１１がハンズフリー装置１２に連結される際には、携帯装置１１とハンズフリー装置１２との連結が、携帯装置１１に備えられた接続状態選択部に含まれる共通連結部とハンズフリー装置１２に備えられた接続状態選択部に含まれる共通連結部とが相互連結されることによってなされる。
【００２８】
そして、携帯装置１１に備えられた接続状態選択部に含まれる信号選択部、及び、ハンズフリー装置１２に備えられた接続状態選択部に含まれる信号選択部は、携帯装置１１に備えられた対ハンズフリー装置送受信部からの信号が、携帯装置１１及びハンズフリー装置１２の夫々における共通連結部を通じて、ハンズフリー装置１２に備えられた送受信部に供給されるとともに、ハンズフリー装置１２に備えられた送受信部からの信号が、携帯装置１１及びハンズフリー装置１２の夫々における共通連結部を通じて、携帯装置１１に備えられた対ハンズフリー装置送受信部に供給されることになる状態、及び、携帯装置１１に備えられた統括制御ユニットからの信号が、携帯装置１１及びハンズフリー装置１２の夫々における共通連結部を通じて、ナビゲーション装置１３に備えられたナビゲーション制御ユニットに供給されるとともに、ナビゲーション装置１３に備えられた地図情報送出部からの信号が、携帯装置１１及びハンズフリー装置１２の夫々における共通連結部を通じて、携帯装置１１に備えられた地図情報メモリ部に供給されることになる状態を、選択的にとるものとされる。
【００２９】
携帯装置１１及びハンズフリー装置１２の夫々に備えられた接続状態選択部に含まれる信号選択部によって、携帯装置１１に備えられた対ハンズフリー装置送受信部からの信号がハンズフリー装置１２に備えられた送受信部に供給されるとともに、ハンズフリー装置１２に備えられた送受信部からの信号が携帯装置１１に備えられた対ハンズフリー装置送受信部に供給される場合には、携帯装置１１に備えられた主送受信部と、例えば、公衆電話通信システムにおけるローカル無線局との間におけるアンテナ１５を通じての電話信号の無線送受信が、ハンズフリー装置１２に備えられた音声出力部及び音声入力部が用いられて行われることになる。
【００３０】
また、携帯装置１１及びハンズフリー装置１２の夫々に備えられた接続状態選択部に含まれる信号選択部によって、携帯装置１１に備えられた統括制御ユニットからの信号がナビゲーション装置１３に備えられたナビゲーション制御ユニットに供給されるとともに、ナビゲーション装置１３に備えられた地図情報送出部からの信号が携帯装置１１に備えられた地図情報メモリ部に供給される場合には、ナビゲーション装置１３に備えられた地図情報送出部から、携帯装置１１に備えられた統括制御ユニットからの信号に応じて選択された地図情報信号が送出され、その選択された地図情報信号が携帯装置１１に備えられた地図情報メモリ部に格納される状態とされる。斯かる際に、携帯装置１１に備えられた地図情報メモリ部に格納される地図情報信号は、ナビゲーション装置１３に備えられた位置検出部によって検出された搭載車両の現在位置を含む比較的狭い地域における道路地図に関する道路地図データをあらわすものとされる。
【００３１】
携帯装置１１は、図１に示される如くにハンズフリー装置１２に連結された状態からハンズフリー装置１２との連結が解除された状態におかれるときには、単独で使用されて、携帯機器としての本来の機能を果たすものとされる。斯かる際には、携帯装置１１に備えられた主送受信部と、例えば、公衆電話通信システムにおけるローカル無線局との間におけるアンテナ１５を通じての電話信号の無線送受信が、携帯装置１１に備えられた音声入力部及び音声出力部が用いられて行われる。また、携帯装置１１に備えられた地図情報メモリ部に格納されている地図情報信号が読み出され、携帯装置１１に備えられた画像表示部において、地図情報メモリ部から読み出された地図情報信号に基づく地図画像表示が行われる。さらには、携帯装置１１に備えられた位置検出部により検出された携帯装置１１の現在位置についての画像表示が、画像表示部において行われる。なお、地図情報メモリ部から読み出された地図情報信号があらわす道路地図データ及び位置検出部から得られる位置データの一方もしくは両者が、携帯装置１１に備えられた主送受信部を通じて送信される状態も、必要に応じてとられる。
【００３２】
図２は、図１に示される本発明に係る電話機能を具えた地図情報利用装置の一例を成す携帯装置１１、さらには、ハンズフリー装置１２及びナビゲーション装置１３の夫々の構成をより詳細に示す。図２に示される携帯装置１１，ハンズフリー装置１２及びナビゲーション装置１３の状態にあっては、携帯装置１１が、ハンズフリー装置１２に連結されている。
【００３３】
図２に示されるハンズフリー装置１２にあっては、携帯装置１１における接続状態選択部に対応する接続状態選択部を形成する、共通連結部２１及び信号選択部２２が備えられている。共通連結部２１には、連結端子２１Ａ及び２１Ｂが設けられている。また、信号選択部２２には、連動する２個の可動接点２３ａ及び２４ａと、可動接点２３ａが選択的に接触する選択接点２３ｂ及び２３ｃと、可動接点２４ａが選択的に接触する選択接点２４ｂ及び２４ｃとが設けられている。
【００３４】
信号選択部２２において連動する２個の可動接点２３ａ及び２４ａは、可動接点２３ａが選択接点２３ｃに接触するとともに可動接点２４ａが選択接点２４ｃに接触する状態（図２に示されている状態）を常態としてとり、特定の場合にのみ、可動接点２３ａが選択接点２３ｂに接触するとともに可動接点２４ａが選択接点２４ｂに接触する状態とされる。そして、可動接点２３ａが共通連結部２１における連結端子２１Ａに接続されるとともに可動接点２４ａが共通連結部２１における連結端子２１Ｂに接続されている。
【００３５】
信号選択部２２における選択接点２３ｃには、後述される携帯装置１１に備えられた対ハンズフリー装置送受信部５６から送信される、所定の情報データを伴ったディジタル音声信号に基づく転送信号ＳＨＴが、状況に応じて導出される。選択接点２３ｃに転送信号ＳＨＴが導出されるときには、その転送信号ＳＨＴが送受信部２５によって受信され、送受信部２５から転送信号ＳＨＴに基づいて再生された所定の情報データ及びディジタル音声信号を含むディジタル再生出力ＤＸＢが得られる。
【００３６】
送受信部２５から得られるディジタル再生出力ＤＸＢは、ハンズフリー制御ユニット２６に供給される。ハンズフリー制御ユニット２６においては、ディジタル再生出力ＤＸＢに基づいて得られる情報データが所定の制御に供され、また、ハンズフリー制御ユニット２６からディジタル再生出力ＤＸＢに基づくディジタル音声信号ＤＢが送出されて、それがディジタル／アナログ（Ｄ／Ａ）変換部２７に供給される。Ｄ／Ａ変換部２７においては、ディジタル音声信号ＤＢがアナログ化されて音声信号ＱＢが形成され、Ｄ／Ａ変換部２７から得られる音声信号ＱＢがスピーカ２８に供給される。それにより、スピーカ２８からディジタル音声信号ＤＢに基づく音声が発せられる。
【００３７】
また、斯かる際、マイクロフォン２９からそれに対する音声入力に応じて得られる音声信号ＳＡが、アナログ／ディジタル（Ａ／Ｄ）変換部３０に供給されると、Ａ／Ｄ変換部３０から、音声信号ＳＡがディジタル化されて得られるディジタル音声信号ＤＨが送出されて、ハンズフリー制御ユニット２６に供給される。それにより、ハンズフリー制御ユニット２６からは、ディジタル音声信号ＤＨ及び所定の情報データを含むディジタル出力ＤＸＨが得られて、それが送受信部２５に供給される。送受信部２５においては、ディジタル出力ＤＸＨに基づく転送信号ＳＨＲが形成されて、それが送信され、信号選択部２２における選択接点２４ｃに供給される。
【００３８】
このようなハンズフリー装置においては、Ｄ／Ａ変換部２７及びスピーカ２８を含む部分によって音声出力部が形成されており、また、マイクロフォン２９及びＤ／Ａ変換部３０を含む部分によって音声入力部が形成されている。
【００３９】
また、図２に示されるナビゲーション装置１３にあっては、人工衛星が用いられた電波航法システムであるグローバル・ポジショニング・システム（ＧＰＳ）における人工衛星からのＧＰＳ信号を利用して搭載車両の現在位置を検出する位置検出部３１が設けられている。位置検出部３１においては、アンテナ１４を通じて受けられたＧＰＳ信号に、ＧＰＳ信号受信処理部３２による処理が施されて得られるＧＰＳ出力信号ＳＧが、現在位置検出ユニット３３に供給される。
【００４０】
現在位置検出ユニット３３においては、ＧＰＳ信号受信処理部３２からのＧＰＳ出力信号ＳＧ、さらには、入力位置データ，搭載車両に備えられた車速センサから得られる搭載車両の走行速度をあらわす検出出力，搭載車両に備えられた地磁気センサから得られる搭載車両の方向に応じたものとされる検出出力等を含む各種のデータ、及び、地図データ格納部３４から得られる道路地図データＤＭに基づいて、搭載車両の現在位置が、地図データＤＭによりあらわされる道路地図上の位置として逐次自動的に検出され、検出された現在位置に関する位置データＤＰが形成される。そして、現在位置検出ユニット３３から、搭載車両の現在位置をあらわす位置データＤＰが得られ、それが、走行経路設定部３５及び画像表示データ合成部３６、さらには、ナビゲーション制御ユニット４５に供給される。
【００４１】
ナビゲーション制御ユニット４５には入力操作部４６が接続されており、入力操作部４６からの各種の制御指令信号ＤＩＮがナビゲーション制御ユニット４５に供給される。ナビゲーション制御ユニット４５は、制御指令信号ＤＩＮの内容に応じた動作を行い、例えば、制御指令信号ＤＩＮに応じて地図データ格納部３４に道路地図データＤＭを送出させるための制御信号ＣＭを供給する動作を行い、それにより地図データ格納部３４から道路地図データＤＭが得られる。地図データ格納部３４は、例えば、各種の地図データを格納したＣＤ−ＲＯＭが装着されるディスクプレーヤを含んで構成され、ＣＤ−ＲＯＭから読み出した地図データを地図データＤＭとして送出する。
【００４２】
走行経路設定部３５には、現在位置検出ユニット３３からの位置データＤＰに加えて、地図データ格納部３４からの地図データＤＭ、さらには、必要に応じて他のデータ、例えば、目的地データ等も供給される。そして、走行経路設定部３５においては、地図データＤＭによりあらわされる道路地図上における搭載車両についての最適な走行経路が、搭載車両の通過予定経路として設定される。そして、走行経路設定部３５から、設定された通過予定経路をあらわす走行経路データＤＱが得られて、それが、画像表示データ合成部３６に供給される。画像表示データ合成部３６には、地図データ格納部３４からの地図データＤＭも供給される。
【００４３】
画像表示データ合成部３６においては、現在位置検出ユニット３３からの位置データＤＰ，走行経路設定部３５からの走行経路データＤＱ、及び、地図データ格納部３４からの地図データＤＭが適宜合成されて、画像表示用データＤＺが形成される。そして、画像表示データ合成部３６から得られる画像表示用データＤＺが映像信号形成部３７に供給され、映像信号形成部３７において、画像表示用データＤＺに対応する映像信号ＳＶが形成され、映像信号形成部３７から得られる映像信号ＳＶが画像表示部３８に供給される。画像表示部３８は、例えば、平面状の液晶画像表示面部を備えたものとされ、液晶画像表示面部に映像信号ＳＶに基づくナビゲーション用の画像が表示される。
【００４４】
ナビゲーション制御ユニット４５には、ハンズフリー装置１２に備えられた信号選択部２２における可動接点２４ａの状況に応じて導出される信号である、後述される携帯装置１１に備えられた統括制御ユニット５０から送出される制御信号ＣＭＸが、低域通過フィルタ（ＬＰＦ）５７を通じて供給される。ナビゲーション制御ユニット４５に制御信号ＣＭＸが供給されるときには、ナビゲーション制御ユニット４５は、地図データ格納部３４に、制御信号ＣＭＸに応じて選択される道路地図データを送出させるための制御信号ＣＭＬを供給する動作を行う。それにより、地図データ格納部３４から制御信号ＣＭＸに応じて選択された道路地図データＤＭＬが得られて、それが地図情報送出部３９に供給される。
【００４５】
地図情報送出部３９においては、地図データ格納部３４からの選択された道路地図データＤＭＬをあらわす地図情報信号ＳＭＸが形成され、その地図情報信号ＳＭＸが、ハンズフリー装置１２に備えられた信号選択部２２における選択接点２３ｂに供給される。
【００４６】
また、ナビゲーション制御ユニット４５に制御信号ＣＭＸが供給されるときには、ナビゲーション制御ユニット４５は、制御信号ＣＳをハンズフリー装置１２に備えられた信号選択部２２に供給し、信号選択部２２に、可動接点２３ａが選択接点２３ｂに接触するとともに、可動接点２４ａが選択接点２４ｂに接触する状態をとらせる。
【００４７】
図２に示される、本発明に係る電話機能を具えた地図情報利用装置の一例を成す携帯装置１１にあっては、ハンズフリー装置１２における接続状態選択部に対応する接続状態選択部を形成する、共通連結部４１及び信号選択部４２が備えられている。共通連結部４１には、連結端子４１Ａ及び４１Ｂが設けられている。また、信号選択部４２には、連動する２個の可動接点４３ａ及び４４ａと、可動接点４３ａが選択的に接触する選択接点４３ｂ及び４３ｃと、可動接点４４ａが選択的に接触する選択接点４４ｂ及び４４ｃとが設けられている。
【００４８】
信号選択部４２において連動する２個の可動接点４３ａ及び４４ａは、可動接点４３ａが選択接点４３ｃに接触するとともに可動接点４４ａが選択接点４４ｃに接触する状態（図２に示されている状態）を常態としてとり、特定の場合にのみ、可動接点４３ａが選択接点４３ｂに接触するとともに可動接点４４ａが選択接点４４ｂに接触する状態とされる。そして、可動接点４３ａが共通連結部４１における連結端子４１Ａに接続されるとともに可動接点４４ａが共通連結部４１における連結端子４１Ｂに接続されている。
【００４９】
携帯装置１１がハンズフリー装置１２に連結されたもとにあっては、共通連結部４１における連結端子４１Ａ及び連結端子４１Ｂが、ハンズフリー装置１２に備えられた共通連結部２１における連結端子２１Ａ及び連結端子２１Ｂに夫々接続された状態におかれる。
【００５０】
斯かるもとで、携帯装置１１にあっては、ハンズフリー装置１２と共に使用されてハンズフリー応答が行われることになる状態と、ナビゲーション装置１３に備えられた地図情報送出部３９からの地図情報信号ＳＭＸが取り込まれて、内蔵された地図情報メモリ部６０に格納されることになる状態とが選択的にとられる。このようなハンズフリー応答が行われることになる状態と地図情報信号ＳＭＸが地図情報メモリ部６０に格納されることになる状態との選定は、統括制御ユニット５０に接続された入力操作部５１の操作によりなされる。即ち、入力操作部５１に対する操作により入力操作部５１から統括制御ユニット５０に供給される指令データＤＫの内容に応じて、ハンズフリー応答が行われることになる状態と地図情報信号ＳＭＸが地図情報メモリ部６０に格納されることになる状態とが選定されるのである。
【００５１】
携帯装置１１においてハンズフリー装置１２と共に使用されてハンズフリー応答が行われることになる状態が選定された場合には、統括制御ユニット５０からスイッチ５２及びスイッチ５３の夫々に供給されるスイッチ制御信号ＣＳＷが、スイッチ５２に可動接点５２ａが選択接点５２ｂに接続される状態（図２に示されている状態）をとらせるとともに、スイッチ５３に可動接点５３ａが選択接点５３ｂに接続される状態（図２に示されている状態）をとらせるものとされる。
【００５２】
また、このとき、信号選択部４２において連動する２個の可動接点４３ａ及び４４ａは、可動接点４３ａが選択接点４３ｃに接触するとともに可動接点４４ａが選択接点４４ｃに接触する常態に維持され、さらに、ハンズフリー装置１２に備えられた信号選択部２２において連動する２個の可動接点２３ａ及び２４ａは、可動接点２３ａが選択接点２３ｃに接触するとともに可動接点２４ａが選択接点２４ｃに接触する常態に維持される。
【００５３】
斯かるもとで、例えば、ローカル無線局からの電話信号ＳＤＲが、アンテナ１５を通じて主送受信部５５により無線受信されると、主送受信部５５から、電話信号ＳＤＲに基づく所定の情報データＤＩＤが得られて統括制御ユニット５０に供給されるとともに、電話信号ＳＤＲに基づいて再生されたディジタル音声信号ＤＢが送出され、スイッチ５２を通じて対ハンズフリー装置送受信部５６に供給される。このとき、対ハンズフリー装置送受信部５６には、統括制御ユニット５０からの所定の情報データＤＬＨも供給され、対ハンズフリー装置送受信部５６から、所定の情報データＤＬＨを伴ったディジタル音声信号ＤＢに基づく転送信号ＳＨＴが形成されて、その転送信号ＳＨＴが信号選択部４２における選択接点４３ｃへと送信される。
【００５４】
この対ハンズフリー装置送受信部５６から送信された転送信号ＳＨＴは、信号選択部４２における選択接点４３ｃから、信号選択部４２における可動接点４３ａ，共通連結部４１における連結端子４１Ａ，ハンズフリー装置１２に備えられた共通連結部２１における連結端子２１Ａ、及び、ハンズフリー装置１２に備えられた信号選択部２２における可動接点２３ａを通じて、ハンズフリー装置１２に備えられた信号選択部２２における選択接点２３ｃに導出され、ハンズフリー装置１２に備えられた送受信部２５によって受信される。その結果、前述の如くに、ハンズフリー装置１２に備えられたスピーカ２８から、ディジタル音声信号ＤＢに基づく音声が発せられる。
【００５５】
また、斯かる際、ハンズフリー装置１２において送受信部２５から信号選択部２２における選択接点２４ｃに供給される転送信号ＳＨＲが、信号選択部２２における選択接点２４ｃから、信号選択部２２における可動接点２４ａ，ハンズフリー装置１２に備えられた共通連結部２１における連結端子２１Ｂ，共通連結部４１における連結端子４１Ａ、及び、信号選択部４２における可動接点４４ａを通じて、信号選択部４２における選択接点４４ｃに導出され、対ハンズフリー装置送受信部５６によって受信される。
【００５６】
対ハンズフリー装置送受信部５６からは、転送信号ＳＨＲに基づく所定の情報データＤＩが得られて統括制御ユニット５０に供給されるとともに、転送信号ＳＨＲに基づいて再生されたディジタル音声信号ＤＨが送出され、スイッチ５３を通じて主送受信部５５に供給される。このとき、主送受信部５５には、統括制御ユニット５０からの所定の情報データＤＯＤも供給され、主送受信部５５から、所定の情報データＤＯＤを伴ったディジタル音声信号ＤＨに基づく電話信号ＳＤＴが形成されて、その電話信号ＳＤＴがアンテナ１５を通じてローカル無線局へと送信される。
【００５７】
このようにして、携帯装置１１による公衆電話通信システムにおけるローカル無線局との間におけるアンテナ１５を通じての電話信号ＳＤＴの無線送信及び電話信号ＳＤＲの無線受信が、ハンズフリー装置１２に備えられた音声入力部を形成するマイクロフォン２９及び音声出力部を形成するスピーカ２８が用いられるハンズフリー応答をもって行われることになる。
【００５８】
上述においては、携帯装置１１に備えられた対ハンズフリー装置送受信部５６とハンズフリー装置１２に備えられた送受信部２５との間で、ディジタル音声信号とされた音声信号に基づく転送信号ＳＨＴ及びＳＨＲの送受信が行われているが、携帯装置１１に備えられた対ハンズフリー装置送受信部５６とハンズフリー装置１２に備えられた送受信部２５との間で、音声信号を直接的に送受信するようになすことも可能であり、本発明に係る電話機能を具えた地図情報利用装置は、携帯装置１１に備えられた対ハンズフリー装置送受信部５６とハンズフリー装置１２に備えられた送受信部２５との間で音声信号を直接的に送受信する態様もとることができる。
【００５９】
一方、携帯装置１１において、ナビゲーション装置１３に備えられた地図情報送出部３９からの地図情報信号ＳＭＸが取り込まれて、内蔵された地図情報メモリ部６０に格納されることになる状態が選定された場合には、統括制御ユニット５０が、制御信号ＣＳＳを信号選択部４２に供給し、信号選択部４２に、可動接点４３ａが選択接点４３ｂに接触するとともに、可動接点４４ａが選択接点４４ｂに接触する状態をとらせる。
【００６０】
また、斯かる際には、統括制御ユニット５０が、制御信号ＣＭＸを信号選択部４２における選択接点４４ｂへと送出する。この制御信号ＣＭＸは、信号選択部４２における選択接点４４ｂから、信号選択部４２における可動接点４４ａ，共通連結部４１における連結端子４１Ｂ、及び、ハンズフリー装置１２に備えられた共通連結部２１における連結端子２１Ｂを通じて、ハンズフリー装置１２に備えられた信号選択部２２における可動接点２４ａに導出され、ＬＰＦ５７を通じてナビゲーション装置１３に備えられたナビゲーション制御ユニット４５に供給される。
【００６１】
それにより、前述の如くに、ナビゲーション装置１３に備えられたナビゲーション制御ユニット４５から制御信号ＣＳがハンズフリー装置１２に備えられた信号選択部２２に供給されて、ハンズフリー装置１２に備えられた信号選択部２２が、可動接点２３ａが選択接点２３ｂに接触するとともに、可動接点２４ａが選択接点２４ｂに接触する状態をとるものとされ、また、それとともに、ナビゲーション装置１３に備えられた地図情報送出部３９から、制御信号ＣＭＸに応じて選択された道路地図データＤＭＬをあらわす地図情報信号ＳＭＸが送出されて、その地図情報信号ＳＭＸが、ハンズフリー装置１２に備えられた信号選択部２２における選択接点２３ｂに供給される。
【００６２】
斯かる際において、制御信号ＣＭＸに応じて選択された道路地図データＤＭＬは、ナビゲーション装置１３に備えられた位置検出部３１によって検出された搭載車両の現在位置を含む比較的狭い地域における道路地図に関する道路地図データとされる。
【００６３】
そして、ハンズフリー装置１２に備えられた信号選択部２２における選択接点２３ｂに供給される地図情報信号ＳＭＸは、信号選択部２２における選択接点２３ｂから、信号選択部２２における可動接点２３ａ，ハンズフリー装置１２に備えられた共通連結部２１における連結端子２１Ａ，共通連結部４１における連結端子４１Ａ、及び、信号選択部４２における可動接点４３ａを通じて、信号選択部４２における選択接点４３ｂに導出され、地図情報メモリ部６０に供給される。
【００６４】
このとき、地図情報メモリ部６０には、統括制御ユニット５０からの書込制御信号ＣＷが供給される。それにより、地図情報メモリ部６０においては、信号選択部４２における選択接点４３ｂを通じて供給される地図情報信号ＳＭＸが、書込制御信号ＣＷに従って書き込まれて格納される。このようにして、携帯装置１１において、ナビゲーション装置１３に備えられた地図情報送出部３９からの地図情報信号ＳＭＸが取り込まれて、内蔵された地図情報メモリ部６０に格納される動作が行われる。
【００６５】
地図情報メモリ部６０に格納される地図情報信号ＳＭＸは、ナビゲーション装置１３に備えられた地図データ格納部３４に格納された道路地図データのうちから、搭載車両の現在位置を含む比較的狭い地域における道路地図に関する道路地図データをあらわすものとされるので、地図情報メモリ部６０に格納されるにあたって、大メモリ容量は必要としない。従って、地図情報メモリ部６０は、大メモリ容量化及び付随する回路部の大規模化を必要としないものとされることになる。
【００６６】
携帯装置１１が、図２に示される如くのハンズフリー装置１２に連結された状態から、共通連結部４１がハンズフリー装置１２に備えられた共通連結部２１との連結状態から解除されて、ハンズフリー装置１２から離脱せしめられた状態とされ、単独で使用されるもとにあっては、公衆電話通信システムにおけるローカル無線局との間における電話信号の無線送受信を行う動作状態，地図情報メモリ部６０に格納された地図情報信号ＳＭＸを地図情報メモリ部６０から読み出して利用する動作状態等が、入力操作部５１の操作に応じて設定される。
【００６７】
単独で使用される携帯装置１１において、公衆電話通信システムにおけるローカル無線局との間における電話信号の無線送受信を行う動作状態が設定されるときには、統括制御ユニット５０からスイッチ５２及びスイッチ５３の夫々に供給されるスイッチ制御信号ＣＳＷが、スイッチ５２に可動接点５２ａが選択接点５２ｃに接続される状態をとらせるとともに、スイッチ５３に可動接点５３ａが選択接点５３ｃに接続される状態をとらせるものとされる。
【００６８】
そして、マイクロフォン６１からそれに対する音声入力に応じて得られる音声信号ＱＡが、Ａ／Ｄ変換部６２に供給されてディジタル化され、Ａ／Ｄ変換部６２から送出されるディジタル音声信号ＤＡが、信号加算部６３を通じ、さらに、スイッチ５３を通じて、主送受信部５５に供給される。主送受信部５５には、斯かる際にも、総括制御ユニット５０から所定の情報データＤＯＤが供給される。
【００６９】
それにより、主送受信部５５において、所定の情報データＤＯＤを伴ったディジタル音声信号ＤＡに基づく電話信号ＳＤＴが形成され、その電話信号ＳＤＴが主送受信部５５からアンテナ１５を通じてローカル無線局へと無線送信される。
【００７０】
また、ローカル無線局からの電話信号ＳＤＲが、アンテナ１５を通じて主送受信部５５により無線受信されると、主送受信部５５から、電話信号ＳＤＲに基づく所定の情報データＤＩＤが得られて統括制御ユニット５０に供給されるとともに、電話信号ＳＤＲに基づいて再生されたディジタル音声信号ＤＢが送出され、スイッチ５２を通じてＤ／Ａ変換部６４に供給される。Ｄ／Ａ変換部６４においては、ディジタル音声信号ＤＢがアナログ化され、Ｄ／Ａ変換部６４から得られる音声信号ＱＢがスピーカ６５に供給される。その結果、スピーカ６５からディジタル音声信号ＤＢに基づく音声が発せられる。
【００７１】
斯かるもとで、マイクロフォン６１及びＡ／Ｄ変換部６２は、音声入力に応じた音声信号ＱＡを主送受信部５５に供給する状態をとる音声入力部を形成しており、また、Ｄ／Ａ変換部６４及びスピーカ６５は、主送受信部５５から得られる再生されたディジタル音声信号ＤＢに応じた音声出力を発生する状態をとる音声出力部を形成している。そして、携帯装置１１による公衆電話通信システムにおけるローカル無線局との間におけるアンテナ１５を通じての電話信号ＳＤＴの無線送信及び電話信号ＳＤＲの無線受信が、携帯装置１１に備えられた音声入力部を形成するマイクロフォン６１及び音声出力部を形成するスピーカ６５が用いられて行われることになる。
【００７２】
単独で使用される携帯装置１１において、地図情報メモリ部６０に格納された地図情報信号ＳＭＸを地図情報メモリ部６０から読み出して利用する動作状態が設定されるときには、統括制御ユニット５０から地図情報メモリ部６０に読出制御信号ＣＲが供給される。それにより、地図情報メモリ部６０から、それに格納された地図情報信号ＳＭＸが読出制御信号ＣＲに従って読み出され、画像表示データ合成部６６に供給される。
【００７３】
斯かる際、必要に応じて、携帯装置１１に内蔵された位置検出部７０が、入力操作部５１における操作に従って統括制御ユニット５０から供給される制御信号ＣＰＴにより動作状態とされる。位置検出部７０が動作状態とされる場合には、アンテナ１６を通じて受けられたＧＰＳ信号に、ＧＰＳ信号受信処理部７１による処理が施されて得られるＧＰＳ出力信号ＳＧが、現在位置検出ユニット７２に供給される。現在位置検出ユニット７２においては、ＧＰＳ信号受信処理部７１からのＧＰＳ出力信号ＳＧに基づいて、携帯装置１１の現在位置が検出され、検出された現在位置に関する位置データＤＰＴが形成される。そして、現在位置検出ユニット７２から、携帯装置１１の現在位置をあらわす位置データＤＰＴが得られ、それが、画像表示データ合成部６６に供給される。
【００７４】
画像表示データ合成部６６においては、現在位置検出ユニット７２からの位置データＤＰＴ及び地図情報メモリ部６０からの地図情報信号ＳＭＸが適宜合成されて、画像表示用データＤＺＴが形成される。そして、画像表示データ合成部６５から得られる画像表示用データＤＺＴがデータ加算部７３を通じて映像信号形成部７４に供給され、映像信号形成部７４において、画像表示用データＤＺＴに対応する映像信号ＳＶＴが形成され、映像信号形成部７４から得られる映像信号ＳＶＴが画像表示部７５に供給される。画像表示部７５は、例えば、比較的小型な平面状の液晶画像表示面部を備えたものとされ、その液晶画像表示面部に、映像信号ＳＶＴに基づき、地図情報信号ＳＭＸがあらわす道路地図データに対応する道路地図が画像表示されるとともに、位置データＤＰＴによりあらされる携帯装置１１の現在位置に関する表示がなされる。
【００７５】
なお、地図情報メモリ部６０からそれに格納された地図情報信号ＳＭＸが読出制御信号ＣＲに従って読み出される際に、位置検出部７０が動作状態とされない場合には、画像表示データ合成部６６から得られる画像表示用データＤＺＴが地図情報信号ＳＭＸに基づくものとされ、画像表示部７５が備える液晶画像表示面部に、地図情報信号ＳＭＸがあらわす道路地図データに対応する道路地図のみが画像表示される。
【００７６】
地図情報メモリ部６０から読み出される地図情報信号ＳＭＸ及び現在位置検出ユニット７２から得られる位置データＤＰＴは、統括制御ユニット５０にも供給される。統括制御ユニット５０は、入力操作部５１における操作に応じて、スイッチ５２及びスイッチ５３の夫々に供給されるスイッチ制御信号ＣＳＷを、スイッチ５２に可動接点５２ａが選択接点５２ｃに接続される状態をとらせるとともに、スイッチ５３に可動接点５３ａが選択接点５３ｃに接続される状態をとらせるものとしたもとで、地図情報メモリ部６０から読み出される地図情報信号ＳＭＸ及び現在位置検出ユニット７２から得られる位置データＤＰＴの夫々あるいは一方に基づく情報データＤＭＺを形成する。統括制御ユニット５０から得られる情報データＤＭＺは、信号加算部６３を通じ、さらに、スイッチ５３を通じて主送受信部５５に供給され、主送受信部５５からアンテナ１５を通じて送信される。
【００７７】
さらに、統括０御ユニット５０は、入力操作部５１における操作に応じて、情報表示データＤＭＫを形成し、それをデータ加算部７３を通じて映像信号形成部７４に供給する状態もとる。斯かる際には、映像信号形成部７４から情報表示データＤＭＫに対応する映像信号ＳＶＴが得られて、それが画像表示部７５に供給される。それにより、画像表示部７５が備える液晶画像表示面部において、情報表示データＤＭＫに基づく情報表示がなされる。
【００７８】
【発明の効果】
以上の説明から明らかな如く、本発明に係る電話機能を具えた地図情報利用装置にあっては、対ハンズフリー装置送受信部と車両に設置されたハンズフリー装置とを相互接続する接続部が巧みに利用されて、別途の接続部が設けられることなく、地図情報信号を格納できるメモリ部と車両に設けられたナビゲーション装置が備える地図情報送出部とが相互接続される状態が得られる。
【００７９】
そして、地図情報信号を格納できるメモリ部と車両に設けられたナビゲーション装置が備える地図情報送出部とが相互接続されたときには、地図情報信号を格納できるメモリ部に、車両に設けられたナビゲーション装置が備える地図情報送出部が地図情報源とされたもとで、その地図情報源が送出できる地図情報信号のうちの車両の現在位置を含む所定の地域範囲についての地図情報をあらわす部分が、適宜選択されて格納されることになる。それゆえ、地図情報信号を格納できるメモリ部が、車両の現在位置を含む所定の地域範囲についての地図情報をあらわすものとされる地図情報信号を、大メモリ容量化及び付随する回路部の大規模化を必要とすることなく格納し、格納した地図情報信号を、例えば、それに基づく地図画像表示とされる利用に供するものとされる。
【００８０】
従って、本発明に係る電話機能を具えた地図情報利用装置は、携帯電話装置として機能すべく電話信号の送受信を行うことができるとともに、車両に設置されたハンズフリー装置との間での音声信号もしくは音声信号に基づく転送信号の送受信を行う状態をとることができ、しかも、対ハンズフリー装置送受信部，車両に設置されたハンズフリー装置及び車両に設けられたナビゲーション装置との間に複雑な接続機構を要することなく、かつ、内蔵するメモリ部についての大メモリ容量化及びメモリ部に付随する回路部の大規模化を必要としないもとで、ナビゲーション装置が備える地図情報送出部から得られる車両の現在位置を含む所定の地域に関する地図情報を、例えば、それに基づく地図画像表示を行う態様をもって有効に利用することができるものとなる。
【００８１】
さらに、本発明に係る電話機能を具えた地図情報利用装置にあってはメモリ部から、それに格納された車両の現在位置を含む所定の地域範囲についての地図情報をあらわす地図情報信号を読み出して利用する際、必要に応じて、画像表示部に、現在位置検出部によって検出された画像表示部を含む部分の現在位置、即ち、本発明に係る電話機能を具えた地図情報利用装置の現在位置を、地図情報信号に基づく地図画像に重畳して表示させることもできる。
【図面の簡単な説明】
【図１】本発明に係る電話機能を具えた地図情報利用装置の一例を車両に設けられたナビゲーション装置及び車両に設置されたハンズフリー装置と共に示すブロック構成図である。
【図２】図１に示される本発明に係る電話機能を具えた地図情報利用装置の一例，ハンズフリー装置及びナビゲーション装置の夫々の構成をより詳細に示すブロック構成図である。
【符号の説明】
１１  携帯装置
１２  ハンズフリー装置
１３  ナビゲーション装置
１４，１５，１６  アンテナ
２１，４１  共通連結部
２２，４２  信号選択部
２５  送受信部
２６  ハンズフリー制御ユニット
２７，６４  Ｄ／Ａ変換部
２８，６５  スピーカ
２９，６１  マイクロフォン
３０，６２  Ａ／Ｄ変換部
３１，７０  位置検出部
３２，７１  ＧＰＳ信号受信処理部
３３，７２  現在位置検出ユニット
３４  地図データ格納部
３５  走行経路設定部
３６，６６  画像表示データ合成部
３７，７４  映像信号形成部
３８，７５  画像表示部
３９  地図情報送出部
４５  ナビゲーション制御ユニット
４６，５１  入力操作部
５０  統括制御ユニット
５２，５３  スイッチ
５５  主送受信部
５６  対ハンズフリー装置送受信部
５７  ＬＰＦ
６０  地図情報メモリ部
【図１】
0003591201.tif 000002
【図２】
0003591201.tif 000003